(57)【要約】【課題】導入時の設備費用を抑えながら、効率的な機材管理を行うことを可能にした消防救助用機材を提供する。【解決手段】消防活動又は救助活動に使用するための機材１であって、機材１上に少なくとも機材１の識別番号及び管理情報を含む二次元コード２が付与され、二次元コード２は携帯端末３により読取可能に構成される。【選択図】図１
2020114347.tif 000002
【特許請求の範囲】
【請求項１】
消防活動又は救助活動に使用するための機材であって、該機材上に少なくとも該機材の識別番号及び管理情報を含む二次元コードが付与され、該二次元コードが携帯端末により読取可能に構成されたことを特徴とする消防救助用機材。
【請求項２】
前記携帯端末により読み取られて復号された情報が前記携帯端末の画面上に表示されるように構成されたことを特徴とする請求項１に記載の消防救助用機材。
【請求項３】
前記管理情報として少なくとも前記機材の購入年度、所属消防署名及び仕様書番号を有することを特徴とする請求項１又は２に記載の消防救助用機材。
【請求項４】
前記二次元コードが前記機材の識別番号及び管理情報の他に付加情報及び／又は専用の読取機器により読取可能な非公開情報を含むことを特徴とする請求項１〜３のいずれかに記載の消防救助用機材。
【請求項５】
前記二次元コードに隣接して前記機材上に所属消防署名が表示されていることを特徴とする請求項１〜４のいずれかに記載の消防救助用機材。
【請求項６】
前記機材が消防ホースであることを特徴とする請求項１〜５のいずれかに記載の消防救助用機材。
【請求項７】
前記消防ホースが、ホース本体と、該ホース本体の両端部にそれぞれ取り付けられた一対の雄継手と雌継手からなる連結金具と、該連結金具を前記ホース本体に固定するための円環状のリングとを有し、該リングの外周面に前記二次元コードが付与されていることを特徴とする請求項６に記載の消防救助用機材。
【請求項８】
前記機材が消防車、消防ポンプ車、救助工作車又は救急車のいずれかの車両であることを特徴とする請求項１〜５のいずれかに記載の消防救助用機材。
【発明の詳細な説明】
【技術分野】
【０００１】
本発明は、消防救助用機材に関し、更に詳しくは、導入時の設備費用を抑えながら、効率的な機材管理を行うことを可能にした消防救助用機材に関する。
【背景技術】
【０００２】
消防活動や救助活動に用いる機材は、その使用の有無にかかわらず経時的に劣化するため、所定の耐用年数が設定されている。これら機材の保守点検には、機材上に印字された識別番号や購入年度などの各種の情報を確認する必要があり、その確認作業には手間と時間が掛かる。また、機材上に印字された各種の情報は機材の使用に伴って消滅してしまう場合や、機材によっては全ての情報を印字するのに必要なスペースを確保することができない場合がある。そのため、印字された情報に基づいて機材管理を効率良く行うことは困難である。また、製造時において機材に印字する作業は時間が掛かる場合もある。
【０００３】
これに対して、消防救助用機材のうち消防ホースにおいて、ホース本体の端部の外周側に筒状の袴を設け、ホース本体の両端部にそれぞれ連結金具を取り付け、ホース本体と袴との間の部位にＲＦＩＤ用のＩＤタグが配置されたものが提案されている（例えば、特許文献１参照）。このような消防ホースによれば、ＩＤタグを利用してホース管理を効率的に行うことができるが、それにはＩＤタグの情報を読取可能なリーダライタが必要であり、導入に際して設備費用が高額になる場合がある。また、複数本の消防ホースが混在した状態ではリーダライタ上に表示された個体と現物とを識別することが困難な場合もある。
【先行技術文献】
【特許文献】
【０００４】
【特許文献１】特許第４１７５４７１号公報
【発明の概要】
【発明が解決しようとする課題】
【０００５】
本発明の目的は、導入時の設備費用を抑えながら、効率的な機材管理を行うことを可能にした消防救助用機材を提供することにある。
【課題を解決するための手段】
【０００６】
上記目的を達成するための本発明の消防救助用機材は、消防活動又は救助活動に使用するための機材であって、該機材上に少なくとも該機材の識別番号及び管理情報を含む二次元コードが付与され、該二次元コードが携帯端末により読取可能に構成されたことを特徴とするものである。
【発明の効果】
【０００７】
本発明では、消防活動又は救助活動に使用するための機材であって、機材上に少なくとも機材の識別番号及び管理情報を含む二次元コードが付与され、二次元コードは携帯端末により読取可能に構成されているので、二次元コードを携帯端末で読み取るだけの簡単な操作により、効率的な機材管理を行うことができる。また、汎用的な機器である携帯端末を用いることで専用の読取機器を必要とせず、導入に際して設備費用を抑えることができる。更には、機材上に全ての情報を印字する必要がなくなるため、従来に比べて必要な情報を表示するスペースが小さくて済み、各種の機材に応じて、二次元コードの大きさを適宜変更して対応することができる。
【０００８】
本発明では、携帯端末により読み取られて復号された情報が携帯端末の画面上に表示されるように構成されることが好ましい。これにより、機材の識別番号及び管理情報が記録された所定のサーバーにアクセスすることによって機材の情報を取得するのではなく、機材上の二次元コードを復号して携帯端末の画面上に表示することによって、直接的に機材管理に必要な情報を取得することができるため、情報取得までの時間を短縮することができる。そのため、効率的な機材管理を行うことに寄与する。
【０００９】
本発明では、管理情報として少なくとも機材の購入年度、所属消防署名及び仕様書番号を有することが好ましい。これにより、例えば、機材の不具合が発生した場合に、当該機材に関する問い合わせを行うための必要な情報を得られるため、販売店に対して円滑に問い合わせを行うことができる。
【００１０】
本発明では、二次元コードは機材の識別番号及び管理情報の他に付加情報及び／又は専用の読取機器により読取可能な非公開情報を含んでいてもよい。この場合、二次元コードに対して、機材のユーザー、販売店及びメーカーの各々が所望する情報を付加情報として付加する、或いは特定の者のみが取得可能な情報を非公開情報として付加することができるため有用である。
【００１１】
本発明では、二次元コードに隣接して機材上に所属消防署名が表示されていることが好ましい。機材の保守点検以外の場面として、例えば、大規模な火災現場には複数の消防署のポンプ車が集まって消火活動を行い、その際に他の消防署のホースと組み合わせて使用する場合があるが、その撤収時においてホースの取り違えが生じることがある。このような一度に多数の機材が存在する場合であっても、上記構成を有する消防救助用機材によれば、自署の機材を見つけ易く、機材の取り違えを防止することができる。
【００１２】
本発明の消防救助用機材は消防ホースに好適に使用することができる。特に、消防ホースは、ホース本体と、ホース本体の両端部にそれぞれ取り付けられた一対の雄継手と雌継手からなる連結金具と、連結金具をホース本体に固定するための円環状のリングとを有し、リングの外周面に二次元コードが付与されていることが好ましい。これにより、消防ホースに付与された二次元コードの剥離を効果的に抑制することができる。
【００１３】
本発明の消防救助用機材は消防車、消防ポンプ車、救助工作車又は救急車のいずれかの車両に好適に使用することができる。
【図面の簡単な説明】
【００１４】
【図１】本発明の実施形態からなる消防救助用機材の一部を示す説明図である。
【図２】本発明の実施形態からなる消防救助用機材として消防ホースに適用した場合を示す側面図である。
【図３】図２の消防ホースを構成する連結金具を一部断面にして示す正面図である。
【図４】本発明の実施形態からなる消防救助用機材として救助工作車に適用した場合を示す側面図である。
【発明を実施するための形態】
【００１５】
以下、本発明の構成について添付の図面を参照しながら詳細に説明する。図１は本発明の実施形態からなる消防救助用機材の一部を示すものである。
【００１６】
機材１は、消防活動又は救助活動に使用するためのものである。図１に示すように、機材１上には、コード化した各種の情報を含む少なくとも一つの二次元コード２が付与されている。二次元コード２は、カメラ４を備えた携帯端末３により読取可能に構成され、具体的にはＱＲコード（登録商標）を用いることができる。カメラ４により撮影された二次元コード２は復号されて携帯端末３の画面５に表示される。なお、画面５はカメラ４と逆側の面に配設されている。
【００１７】
二次元コード２は、少なくとも機材１の識別番号及び管理情報を含んでいる。識別番号は、機材１の製造時に個体毎に割り振られた所定の番号であり、製造時や販売時、保守点検時において共通して用いられるものである。管理情報は、機材１のユーザー（例えば、消防署）が主に倉庫などでの保守点検時に用いる情報であり、例えば、機材１の購入年度、所属消防署名、仕様書番号、交換必要年月、納入時の通し番号を含むものである。
【００１８】
また、二次元コード２は、機材１の識別番号及び管理情報の他に付加情報及び／又は非公開情報を含んでいてもよい。これら付加情報及び非公開情報は、ユーザー、販売店又はメーカーが所望する情報であり、必要に応じて付加することができる。付加情報は、保守点検時に用いる管理情報とは異なる情報である。この付加情報として、ユーザーの場合には機材１に関する具体的な製品特徴、注意事項、製造番号を例示することができ、販売店の場合には広告、購入者名、住所、電話番号、入荷年月日、販売年月日、販売金額を例示することができ、メーカーの場合には機材１の製造番号、各製造工程の加工日、製造時の加工機名、製造者名、ロット数を例示することができる。また、非公開情報は、セキュリティ機能が付加され、特定の者のみが取得（閲覧）可能な情報である。即ち、非公開情報は、専用の（特定の暗号キーを有する）読取機器により読取可能に構成されており、汎用的な携帯端末では読み取りできないようになっている。具体的には、二次元コード２として、公開情報と非公開情報とを含む情報をコード化したＳＱＲＣ（登録商標）を用いることができる。上述した管理情報及び付加情報のうち、特定の者のみが閲覧可能な状態にする必要がある情報を非公開情報として用いる。このように二次元コード２に対して、機材１のユーザー、販売店及びメーカーの各々が所望する情報を付加情報として付加する、或いは特定の者のみが取得可能な情報を非公開情報として付加することができるため有用である。
【００１９】
二次元コード２の表示方法は、特に限定されるものではなく、機材１に直に印刷してもよく、或いは、一方側に二次元コード２が印刷され、他方側に粘着剤が塗布されたシールを用いて、そのシールの他方側を機材１に貼り付けてもよい。シールを用いる場合、例えば、地の色が白色のシールに黒色で二次元コード２を印字することや、地の色が透明のシールに黒色又は他の色で二次元コード２を印字することで、配置箇所の総合的なデザイン性を損なわないようにして二次元コード２の機能を発揮することができる。このような二次元コード２の剥離や損傷を防ぐことを目的として、二次元コード２の表面を覆うように保護層を設けることができる。例えば、透明なフィルムを貼り付ける或いは樹脂により被覆することにより保護層を形成することができる。
【００２０】
上述した二次元コード２を使用する場合、携帯端末３のカメラ４により機材１に付与された二次元コード２を撮影する。二次元コード２を撮影すると、コード化された識別番号及び管理情報は携帯端末３により読み取られて復号される。この復号された識別番号及び管理情報は携帯端末３の画面５に表示され、使用者が実際に確認できる状態となる。このように二次元コード２を携帯端末３で読み取るだけの簡単な操作により、識別番号及び管理情報を機材１の保守点検時に用いることができる。本発明の消防救助用機材に用いられる二次元コード２は、機材１の識別番号及び管理情報が記録された所定のサーバーにアクセスすることによって、機材１の情報を取得可能に構成されるものではない。
【００２１】
図２及び図３は本発明の実施形態からなる消防救助用機材として消防ホースに適用した場合を示すものである。なお、図２は、本実施形態の消防ホース１０においてホース本体１１の長手方向の中間部分を省略して示している。
【００２２】
図２及び図３に示すように、消防ホース１０において、ホース本体１１の両端部にそれぞれ差込式の連結金具１２が取り付けられている。この連結金具１２は一対の金属製の雄継手１４と雌継手１５から構成される。これら雄継手１４と雌継手１５は、それぞれ複数の構成部品を含んでいる。雄継手１４及び雌継手１５には、それぞれ段状のホース装着部１４ａ，１５ａが設けられており、ホース装着部１４ａ，１５ａにホース本体１１の両端部がそれぞれ外挿されている。ホース本体１１の両端部には、ホース本体１１に連結金具１２を固定するための円環状のリング１３が配設されている。また、雄継手１４は、その外周部に形成され、雌継手１５と嵌合する嵌合部１４ｂと、消防ホース１０の軸方向に沿って摺動する押し輪１４ｃとを含んでおり、雌継手１５は、消防ホース１０の軸に対して垂直方向に向かって押圧し、雄継手１４と嵌合するつめ１５ｂと、雌継手１５の内周部に配設された環状のゴムパッキン１５ｃとを含んでいる。
【００２３】
一方の消防ホースの雄継手１４を他方の消防ホースの雌継手１５に差し込むことによって、雄継手１４の嵌合部１４ｂと雌継手１５のつめ１５ｂとが嵌合し、一方の消防ホースと他方の消防ホースとを連結することができる。その際に、雌継手１５のゴムパッキン１５ｃが雄継手１４の外周面を押すことによって、雄継手１４と雌継手１５の連結部における気密性が確保される。このような連結作業を繰り返し行なうことで複数本の消防ホースを１本の連続したホースとして使用することができる。一方、雄継手１４と雌継手１５とが連結された状態において、雄継手１４の嵌合部１４ｂに向かって押し輪１４ｃをスライドさせることによって、押し輪１４ｃが雌継手１５のつめ１５ｂを押し上げるので、雄継手１４を引き抜くことで雄継手１４と雌継手１５との結合を解除することができる。このように消防ホース１０は結合及び解除を容易に行うことできる。
【００２４】
リング１３は金属製の部材であり、平滑な曲面を有している。このリング１３の外周面には二次元コード２が付与されている。二次元コード２は、リング１３に直に印刷してもよく、シールを用いて機材１に貼り付けてもよい。二次元コード２は、リング１３の外周面上の一箇所又は複数箇所に配置することができる。特に、リング１３の外周面の３箇所以上において周方向に等間隔に配置することが好ましく、この場合には消防ホース１０をどの角度から見ても二次元コード２の全体が視認できるようになるため好適である。
【００２５】
消防ホース１０において、二次元コード２に含まれる管理情報として、購入年度、所属消防署名及び仕様書番号の他に品名、口径、使用圧力、届出番号、積載車両番号などを付加することができる。また、メーカーの場合、付加情報としてホース本体１１の色、保護布（ホース本体１１とリング１３との間に配置される布）の色と長さ、保護布の種類、連結金具１２の種類などを二次元コード２に付与しておくと製造時において有用となる。
【００２６】
上述した消防ホースでは、ホース本体１１と、ホース本体１１の両端部にそれぞれ取り付けられた一対の雄継手１４と雌継手１５からなる連結金具１２と、連結金具１２をホース本体１１に固定するための円環状のリング１３とを有し、リング１３の外周面に二次元コード２が付与されているので、消防ホース１０に付与された二次元コード２の剥離を効果的に抑制することができる。
【００２７】
なお、図２に示す実施形態では、連結金具１２をホース本体１１に固定する方法として円環状のリング１３を用いた例を示したが、特に限定されるものではなく、リング１３を用いずに、ホース本体１１の外側にワイヤを連続的に巻き付ける方法や、ホース本体１１の内側に他のリングを挿入し、このリングを機械的に押し広げる方法を用いることができる。これら他の方法の場合、図２に示すリング１３を有しないため、二次元コード２は連結金具１２の一部（平滑面を有する部位）に付与することが望ましい。例えば、他のリングを押し広げる方法では、連結金具１２の外周上におけるリング１３に対応する箇所が平滑面を有するので、その平滑面に対して二次元コード２を付与することができる。これにより、二次元コード２の剥離を効果的に抑制することができる。
【００２８】
図４は本発明の実施形態からなる消防救助用機材として救助工作車に適用した場合を示すものである。図４に示すように、救助工作車（車両２０）は、車両２０の前部に、隊員が搭乗するスペースであるキャビン２１と、車両２０の後部に、救助活動に使用するための装備品を収納する収納庫２２とを有している。車両２０には、少なくとも一つの二次元コード２が付与されている。図４の実施形態では、表面に二次元コード２が印刷されたシールが収納庫２２の側面に貼り付けられている。また、二次元コード２は、車両２０の一箇所又は複数箇所に配置することができる。
【００２９】
車両２０において、二次元コード２に含まれる管理情報として、購入年度、所属消防署名及び仕様書番号の他に車両機種名、届出番号を例示することができる。また、車両２０に搭載される機材として、消防活動に使用するための消防ホース、消防吸管、管鎗（ノズル付き）、各種の媒介金具を例示することができ、救助活動に使用するための油圧式カッター、油圧式スプレッダー、エンジンカッター、ガス溶断器、チェーンソーを例示することができる。更に、車両２０に付与される二次元コード２に、搭載機材に関する情報を含めてもよいし、個々の機材に対して二次元コード２を付与してもよい。
【００３０】
なお、図４に示す実施形態では、車両２０として救助工作車に適用した例を示したが、他にも消防車、消防ポンプ車又は救急車のいずれかの車両に適用することができる。
【００３１】
上述した消防救助用機材では、機材１（消防ホース１０又は車両２０）上に少なくとも機材１の識別番号及び管理情報を含む二次元コード２が付与され、二次元コード２は携帯端末３により読取可能に構成されているので、二次元コード２を携帯端末３で読み取るだけの簡単な操作により、効率的な機材管理を行うことができる。また、汎用的な機器である携帯端末３を用いることで専用の読取機器を必要とせず、導入に際して設備費用を抑えることができる。更には、機材１上に全ての情報を印字する必要がなくなるため、従来に比べて必要な情報を表示するスペースが小さくて済み、各種の機材１に応じて二次元コード２の大きさを適宜変更して対応することができる。大きな二次元コード２を用いた場合には、視認性が向上すると共に、二次元コード２に含まれる情報量を増やすことができるという利点がある。
【００３２】
これに対して、一次元バーコードを用いた場合には、読取作業において所定の方向から読み取る必要があるが、二次元コード２の場合には、その周囲の全方向から読取可能であるので迅速に情報を取得することができる。また、一次元バーコードの場合には、その線の太さが限定されると共に、大量に印刷する際には印刷機のヘッドクリーニングを定期的に行う必要があるのに対し、二次元コード２の場合には、その印刷機のドットの印字可能範囲で印字の大きさを最大化することができると共に、印刷機のヘッドクリーニングの頻度を抑制することもできる。即ち、二次元コード２は、印刷機の性能やヘッドクリーニングの頻度に応じて大きさを適宜変更することができるので、製造上でも好適である。更に、二次元コード２の場合、印字されたドットが摩耗等により一部が欠けていても正確に情報を読み取ることができる。
【００３３】
一般に、消防ホースは倉庫に巻いた状態で縦置き又は積み重ねて保管されるが、上述した消防ホース１０によれば、消防隊員が自身の携帯端末３を用いて消防ホース１０の外表面に付与された二次元コード２を簡単に読み取ることができ、二次元コード２に含まれる情報を利用してホースの交換必要数量などを簡便に集計することができる。これに対して、ＩＤタグを利用してホース管理を行う場合、リーダライタの通信距離の制限や埋設されたＩＤタグの位置によっては情報の読取作業に時間や手間が掛かることがある。
【００３４】
上記消防救助用機材において、携帯端末３により読み取られて復号された情報が携帯端末３の画面５上に表示されるように構成されることが好ましい。機材の識別番号及び管理情報が記録された所定のサーバーにアクセスすることによって機材の情報を取得するのではなく、機材１上の二次元コード２を復号して携帯端末３の画面５上に表示することによって、直接的に機材管理に必要な情報を取得することができるため、情報取得までの時間を短縮することができる。これにより、効率的な機材管理を行うことに寄与する。
【００３５】
また、管理情報として少なくとも機材１の購入年度、所属消防署名及び仕様書番号を有することが好ましい。このように機材１の管理情報を構成することで、例えば、機材１の不具合が発生した場合に、機材１に関する問い合わせを行うための必要な情報を得られるため、販売店に対して円滑に問い合わせを行うことができる。
【００３６】
更に、二次元コード２に隣接して機材１上に所属消防署名６が表示されていることが好ましい。機材の保守点検以外の場面として、例えば、大規模な火災現場には複数の消防署のポンプ車が集まって消火活動を行い、その際に他の消防署のホースと組み合わせて使用する場合があるが、その撤収時においてホースの取り違えが生じることがある。このような一度に多数の機材が存在する場合であっても、上記構成を有する機材１によれば、より迅速に自署の機材を見つけることができ、機材の取り違えを防止することができる。
【符号の説明】
【００３７】
１  機材
２  二次元コード
３  携帯端末
１０  消防ホース
１１  ホース本体
１２  連結金具
１３  リング
２０  車両
【図１】
2020114347.tif 000003
【図２】
2020114347.tif 000004
【図３】
2020114347.tif 000005
【図４】
2020114347.tif 000006
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
消防活動又は救助活動に使用するための機材であって、該機材上に少なくとも該機材の識別番号及び管理情報を含む二次元コードが付与され、該二次元コードが携帯端末により読取可能に構成され、
前記携帯端末により読み取られて復号された情報がサーバーにアクセスすることなく前記携帯端末の画面上に表示されて前記情報が直接的に取得可能に構成され、
前記機材が消防ホースであって、該消防ホースは、ホース本体と、該ホース本体の両端部にそれぞれ取り付けられた一対の雄継手と雌継手からなる連結金具と、該連結金具を前記ホース本体に固定するための円環状のリングとを有し、該リングの外周面に前記二次元コードが付与されていることを特徴とする消防救助用機材。
【請求項２】
消防活動又は救助活動に使用するための機材であって、該機材上に少なくとも該機材の識別番号及び管理情報を含む二次元コードが付与され、該二次元コードが携帯端末により読取可能に構成され、
前記携帯端末により読み取られて復号された情報がサーバーにアクセスすることなく前記携帯端末の画面上に表示されて前記情報が直接的に取得可能に構成され、
前記機材が消防車、消防ポンプ車、救助工作車又は救急車のいずれかの車両であることを特徴とする消防救助用機材。
【請求項３】
前記管理情報として少なくとも前記機材の購入年度、所属消防署名及び仕様書番号を有することを特徴とする請求項１又は２に記載の消防救助用機材。
【請求項４】
前記二次元コードが前記機材の識別番号及び管理情報の他に付加情報及び／又は専用の読取機器により読取可能な非公開情報を含むことを特徴とする請求項１〜３のいずれかに記載の消防救助用機材。
【請求項５】
前記二次元コードに隣接して前記機材上に所属消防署名が表示されていることを特徴とする請求項１〜４のいずれかに記載の消防救助用機材。
【手続補正２】
【補正対象書類名】明細書
【補正対象項目名】０００６
【補正方法】変更
【補正の内容】
【０００６】
本発明の目的を達成する消防救助用機材は、消防活動又は救助活動に使用するための機材であって、該機材上に少なくとも該機材の識別番号及び管理情報を含む二次元コードが付与され、該二次元コードが携帯端末により読取可能に構成され、前記携帯端末により読み取られて復号された情報がサーバーにアクセスすることなく前記携帯端末の画面上に表示されて前記情報が直接的に取得可能に構成され、前記機材が消防ホースであって、該消防ホースは、ホース本体と、該ホース本体の両端部にそれぞれ取り付けられた一対の雄継手と雌継手からなる連結金具と、該連結金具を前記ホース本体に固定するための円環状のリングとを有し、該リングの外周面に前記二次元コードが付与されていることを特徴とするものである。
また、本発明の消防救助用機材は、消防活動又は救助活動に使用するための機材であって、該機材上に少なくとも該機材の識別番号及び管理情報を含む二次元コードが付与され、該二次元コードが携帯端末により読取可能に構成され、前記携帯端末により読み取られて復号された情報がサーバーにアクセスすることなく前記携帯端末の画面上に表示されて前記情報が直接的に取得可能に構成され、前記機材が消防車、消防ポンプ車、救助工作車又は救急車のいずれかの車両であることを特徴とするものである。